(57)【要約】【課題】吸収性物品の長手方向の端部が折れ曲がることを抑制する。【解決手段】吸収性物品１の本体部２は、吸収体である吸収コア２２、吸収コア２２の着用者側の主面を覆うトップシート２１、および、吸収コア２２のもう一方の主面を覆うバックシート２３を備える。吸収性物品１では、吸収コア２２の長手方向の長さが４０ｃｍ以上７０ｃｍ以下とされ、長手方向の両端部において、吸収コア２２の幅方向の両側のコア側端部２２１が、角部が除去された形状とされる。これにより、吸収性物品１が使い捨ておむつに取り付けられて着用される際に、吸収コア２２の各コア側端部２２１が着用者の身体に引っかかって折り曲げられたり、着用者の肌との間の摩擦により捲れることが抑制される。その結果、折り曲げられたり捲れたコア側端部２２１に引っ張られて吸収性物品１の長手方向の端部が折れ曲がることを抑制することができる。【選択図】図１
2006198122.tif 000002
【特許請求の範囲】
【請求項１】
着用者からの排泄物を受ける吸収性物品であって、
吸収体と、
前記吸収体の着用者側の主面を覆うトップシートと、
前記吸収体のもう一方の主面を覆うバックシートと、
を備え、
前記吸収体の長手方向の長さが４０ｃｍ以上、かつ、７０ｃｍ以下であり、
前記長手方向の一の端部において、前記吸収体の幅方向の両側の部位が、角部が除去された形状とされることを特徴とする吸収性物品。
【請求項２】
請求項１に記載の吸収性物品であって、
前記吸収体の前記長手方向の略中央部における前記幅方向の幅が９ｃｍ以上、かつ、３０ｃｍ以下であることを特徴とする吸収性物品。
【請求項３】
請求項１または２に記載の吸収性物品であって、
前記吸収体の前記一の端部において、前記一の端部を囲む矩形に対して除去されている各角部の前記長手方向および前記幅方向の長さが共に２ｃｍ以上であることを特徴とする吸収性物品。
【請求項４】
請求項１ないし３のいずれかに記載の吸収性物品であって、
前記吸収体の前記一の端部を覆う前記トップシートおよび前記バックシートの端部においても、前記幅方向の両側の部位が、角部が除去された形状とされることを特徴とする吸収性物品。
【請求項５】
請求項４に記載の吸収性物品であって、
前記吸収体の前記一の端部におけるエッジと、前記トップシートおよび前記バックシートの前記端部におけるエッジとの間の距離がほぼ一定であることを特徴とする吸収性物品。
【請求項６】
請求項１ないし５のいずれかに記載の吸収性物品であって、
着用者に着用される外装物品の着用者側に取り付けられる補助吸収具であることを特徴とする吸収性物品。
【請求項７】
請求項６に記載の吸収性物品であって、
前記バックシートが、前記吸収体の前記一の端部近傍において前記幅方向に広がって存在するとともに前記外装物品と対向する止着部を備え、
前記止着部の前記幅方向の中央部の少なくとも一部が、前記幅方向の両側の部位よりも前記長手方向に関して外側に存在することを特徴とする吸収性物品。
【請求項８】
請求項１ないし７のいずれかに記載の吸収性物品であって、
前記吸収体の前記長手方向の他方の端部においても、前記吸収体の前記幅方向の両側の部位が、角部が除去された形状とされることを特徴とする吸収性物品。
【発明の詳細な説明】
【技術分野】
【０００１】
本発明は、着用者からの排泄物を受ける吸収性物品に関する。
【背景技術】
【０００２】
使い捨ておむつでは、少量の排尿時であってもおむつ全体を交換する必要があるため、使用者にとって経済的な負担が大きくなってしまう。そこで、従来より、使い捨ておむつの吸収体を覆うように吸収体上に安価な補助吸収具（いわゆる、尿取りパッド等）を取り付けて着用し、少量の排尿時には補助吸収具のみを交換することが行われている。
【０００３】
このように、補助吸収具を使用する場合、使い捨ておむつを着用する際や着用した状態において、使い捨ておむつと着用者の肌との間で補助吸収具が縒れることを防止する必要がある。例えば、特許文献１では、吸収性物品（補助吸収具）の吸収コアにおいて、横方向（幅方向）の中央領域の剛軟度を両側領域よりも高くすることにより、吸収性物品を着用者側に取り付けたパンツの着用時や着用中に、吸収性物品が縒れたりたくれること抑制する技術が開示されている。
【特許文献１】特開２０００−２２５１３８号公報
【発明の開示】
【発明が解決しようとする課題】
【０００４】
ところで、このような補助吸収具を取り付けた使い捨ておむつを着用する際（特にパンツタイプの使い捨ておむつの上げ下げの際）、補助吸収具と着用者の肌との間で生じる摩擦等により、補助吸収具の吸収コアの４隅が縒れて捲れてしまう（すなわち、吸収コアの角部が着用者側に折れ曲がってしまう）ことがある。また、使い捨ておむつを着用した状態で着用者が動くことによっても吸収コアの隅部が縒れて捲れてしまうことがある。特許文献１の吸収性物品では、吸収コアの幅方向の中央領域の剛軟度を高くすることにより、長手方向における縒れやたくれを抑制しているため、このような吸収コアの隅部における縒れを防止することは困難である。
【０００５】
このように隅部が捲れてしまった場合、着用者の動きによりさらに捲れが増大して補助吸収具の一部が丸まってしまい、補助吸収具の厚みが部分的に２倍以上に厚くなることによりごわつき感が生じて着用感が低下してしまう。また、使い捨ておむつの内側で補助吸収具がずれてしまうこともあり、補助吸収具の丸まりやずれにより生じた隙間から、尿等が使い捨ておむつへ漏出してしまう恐れもある。さらには、面ファスナ等により補助吸収具が使い捨ておむつに取り付けられている場合であっても、増大した捲れにより面ファスナが使い捨ておむつから剥がれてしまい、着用感の低下や尿の漏出に加えて、着用者の肌に好ましくない面ファスナとの摩擦が生じる可能性もある。
【０００６】
本発明は、上記課題に鑑みなされたものであり、吸収性物品の長手方向の端部が折れ曲がることを抑制することを目的としている。
【課題を解決するための手段】
【０００７】
請求項１に記載の発明は、着用者からの排泄物を受ける吸収性物品であって、吸収体と、前記吸収体の着用者側の主面を覆うトップシートと、前記吸収体のもう一方の主面を覆うバックシートとを備え、前記吸収体の長手方向の長さが４０ｃｍ以上、かつ、７０ｃｍ以下であり、前記長手方向の一の端部において、前記吸収体の幅方向の両側の部位が、角部が除去された形状とされる。
【０００８】
請求項２に記載の発明は、請求項１に記載の吸収性物品であって、前記吸収体の前記長手方向の略中央部における前記幅方向の幅が９ｃｍ以上、かつ、３０ｃｍ以下である。
【０００９】
請求項３に記載の発明は、請求項１または２に記載の吸収性物品であって、前記吸収体の前記一の端部において、前記一の端部を囲む矩形に対して除去されている各角部の前記長手方向および前記幅方向の長さが共に２ｃｍ以上である。
【００１０】
請求項４に記載の発明は、請求項１ないし３のいずれかに記載の吸収性物品であって、前記吸収体の前記一の端部を覆う前記トップシートおよび前記バックシートの端部においても、前記幅方向の両側の部位が、角部が除去された形状とされる。
【００１１】
請求項５に記載の発明は、請求項４に記載の吸収性物品であって、前記吸収体の前記一の端部におけるエッジと、前記トップシートおよび前記バックシートの前記端部におけるエッジとの間の距離がほぼ一定である。
【００１２】
請求項６に記載の発明は、請求項１ないし５のいずれかに記載の吸収性物品であって、着用者に着用される外装物品の着用者側に取り付けられる補助吸収具である。
【００１３】
請求項７に記載の発明は、請求項６に記載の吸収性物品であって、前記バックシートが、前記吸収体の前記一の端部近傍において前記幅方向に広がって存在するとともに前記外装物品と対向する止着部を備え、前記止着部の前記幅方向の中央部の少なくとも一部が、前記幅方向の両側の部位よりも前記長手方向に関して外側に存在する。
【００１４】
請求項８に記載の発明は、請求項１ないし７のいずれかに記載の吸収性物品であって、前記吸収体の前記長手方向の他方の端部においても、前記吸収体の前記幅方向の両側の部位が、角部が除去された形状とされる。
【発明の効果】
【００１５】
本発明では、吸収性物品の長手方向の端部が折れ曲がることを抑制することができる。請求項４および５の発明では、トップシートおよびバックシートの長手方向の端部が折れ曲がることを抑制することができる。請求項７の発明では、外装物品に取り付けられた吸収性物品の折れ曲がりを抑制することができる。
【発明を実施するための最良の形態】
【００１６】
図１は、本発明の第１の実施の形態に係る吸収性物品１の構成を示す平面図である。吸収性物品１は、着用者に着用される外装物品である使い捨ておむつ等の内側（すなわち、着用者側）に取り付けられて着用者からの排泄物を受ける補助吸収具である。
【００１７】
図１に示すように、吸収性物品１は、略シート状の本体部２、並びに、本体部２の長手方向（すなわち、図１中のＹ方向）のほぼ全長に亘って本体部２の幅方向の両側（すなわち、（＋Ｘ）側および（−Ｘ）側）に設けられた一対の側壁部３を備える。図１では、本体部２の（＋Ｚ）側の主面が、着用者に接する面となる。本体部２は、着用者の腹側および背側に対向する前方部２０１および後方部２０３、並びに、前方部２０１および後方部２０３の間の中間部２０２を備え、前方部２０１、中間部２０２および後方部２０３は長手方向に沿って並ぶ。
【００１８】
図２は、吸収性物品１を図１中に示すＡ−Ａの位置（すなわち、本体部２の後方部２０３に対応する位置）でＹ方向に垂直な面で切断した断面図である。図１および図２に示すように、一対の側壁部３のそれぞれには、長手方向に伸びる弾性部材３１が接合されており、図１に示すように吸収性物品１を広げた状態では、弾性部材３１は伸張状態となっている。吸収性物品１では、弾性部材３１が収縮することにより、本体部２の側方において側壁部３が着用者側に向かって立ち上がり、着用時に着用者の足の付け根近傍に当接する立体ギャザー（いわゆる、レッグギャザー）が形成される。なお、本体部２の前方部２０１における断面も図２と同様である。また、各側壁部３には複数の弾性部材３１が設けられてもよい。
【００１９】
側壁部３は、撥水性または不透液性の不織布（例えば、スパンボンド不織布やメルトブロー不織布、ＳＭＳ（スパンボンド・メルトブロー・スパンボンド）不織布）やプラスチックフィルム、あるいは、これらの複合材料により形成される。吸収性物品１の快適性向上の観点からは、側壁部３が通気性を有することが好ましい。弾性部材３１としては、ポリウレタン糸、ポリウレタンフィルム、天然ゴム等が用いられる。
【００２０】
図１および図２に示すように、本体部２は、吸収体である吸収コア２２、吸収コア２２の着用者側（すなわち、（＋Ｚ）側）の主面を覆うトップシート２１、および、吸収コア２２のもう一方の主面を覆うバックシート２３を備え、吸収コア２２の側方に側壁部３が接合される。
【００２１】
バックシート２３は、吸収コア２２の長手方向の両側の端部近傍において、着用者側とは反対側（外側）の主面上に、幅方向に広がって存在する止着部２３１を備える。止着部２３１は、微小なフック部材を多数有する面ファスナであり、吸収性物品１が使い捨ておむつに取り付けられる際に使い捨ておむつの着用者側と対向し、使い捨ておむつの着用者側の不織布や布地中の繊維群に着脱可能に接合される。
【００２２】
トップシート２１は透液性の材料、例えば、親水性繊維により形成された不織布であり、着用者からの排泄物の水分を速やかに捕捉して吸収コア２２へと移動させる。トップシート２１として利用される不織布は、例えば、ポイントボンド不織布やエアスルー不織布、スパンレース不織布であり、これらの不織布を形成する親水性繊維としては通常、セルロースやレーヨン、コットン等が用いられる。なお、トップシート２１として、表面を界面活性剤により親水処理した疎水性繊維（例えば、ポリプロピレン、ポリエチレン、ポリエステル、ポリアミド、ナイロン）にて形成された透液性の不織布が利用されてもよく、また、開孔を有するプラスチックフィルムが利用されてもよい。
【００２３】
吸収コア２２は、親水性繊維（例えば、粉砕したパルプ繊維やセルロース繊維）に粒状の吸水性ポリマー（例えば、ＳＡＰ(Super Absorbent Polymer)）を混合したものをティッシュペーパーや透液性不織布等の被覆シートにより包み込んで形成され、トップシート２１を透過した水分を吸収して迅速に固定する。親水性繊維を包む被覆シートは、親水性繊維および吸水性ポリマーとホットメルト接着剤により接合されて、親水性繊維の型崩れ、および、吸水性ポリマーの脱落（特に、吸水後における脱落）を防止する。
【００２４】
被覆シートの接合に利用されるホットメルト接着剤としては、例えば、ＳＩＳ（スチレン−イソプレン−スチレン）、ＳＢＳ（スチレン−ブタジエン−スチレン）、ＳＩＢＳ（スチレン−イソプレン−ブタジエン−スチレン）、ＳＥＢＳ（スチレン−エチレン−ブチレン−スチレン）、ＳＥＰＳ（スチレン−エチレン−プロピレン−スチレン）等のスチレン系エラストマー類、若しくは、エチレン・酢酸ビニル系、ポリエステル系、アクリル系、ポリオレフィン系等のエラストマー類、または、ポリイソブチレン、ブチルゴム、ポリイソプレン、天然ゴム等のゴム類のホットメルト接着剤が用いられる。
【００２５】
吸収コア２２では、被覆シート上にホットメルト接着剤が網状に塗布されるため、吸収コア２２による吸水が阻害されることなく、吸収コア２２の吸収性を確保することができるとともに通気性を向上することもできる。ホットメルト接着剤の網状の塗布は、複数のノズルから溶融状態のホットメルト接着剤を糸状に吐出する方法（例えば、スパイラルスプレー法、メルトブロー法（カーテンスプレー法、ともいう。）、オメガコート法）により容易に実現することができる。
【００２６】
バックシート２３は撥水性または不透液性の不織布であり、トップシート２１を透過した水分、および、吸収コア２２に一旦吸収された水分が、本体部２の着用者側とは反対側（すなわち、（−Ｚ）側）にしみ出すのを防止する。バックシート２３として利用される不織布は、例えば、スパンボンド不織布やメルトブロー不織布、ＳＭＳ不織布であり、必要に応じて撥水処理が施されてもよい。なお、撥水性または不透液性のプラスチックフィルムや、上記不織布とプラスチックフィルムとの複合材料等がバックシート２３として利用されてもよい。この場合、着用者の快適性の観点からは、通気性を有するプラスチックフィルムが利用されることが好ましい。
【００２７】
吸収性物品１の吸収コア２２では、図１にその輪郭を太い破線にて示すように、中間部２０２における吸収コア２２のＸ方向の幅が、前方部２０１および後方部２０３における幅よりも小さくされ、吸収コア２２はいわゆる砂時計型とされる。なお、前方部２０１、中間部２０２および後方部２０３の幅は等しくされてもよい。吸収コア２２の中間部２０２におけるＸ方向の幅が最も狭い部位の幅（すなわち、中間部２０２の最小幅）は、９ｃｍ以上３０ｃｍ以下とされ、本実施の形態では１０ｃｍとされる。また、吸収コア２２のＹ方向の長さは、４０ｃｍ以上７０ｃｍ以下とされ、本実施の形態では４０ｃｍとされる。
【００２８】
図１に示すように、吸収コア２２の長手方向の両側の端部における幅方向の両側の部位（すなわち、吸収コア２２の実際の４隅に相当する部位であり、以下、それぞれ、「コア側端部」という。）２２１は略円弧状に面取りされており、これにより、吸収コア２２は長手方向に関して外側に凸となっている。吸収コア２２の各コア側端部２２１は、吸収コア２２の長手方向の端部を囲む仮想的に設定した矩形２２１ａに対して、仮想的な角部（図１中に平行斜線を付して示す部位であり、以下、「仮想角部」と呼ぶ。）２２２が除去された形状とされ、各仮想角部２２２のＸ方向およびＹ方向の長さ（図１中に符号Ｃｘ，Ｃｙを付す長さ）は共に２ｃｍ以上とされる。
【００２９】
トップシート２１およびバックシート２３は、ホットメルト接着剤等により吸収コア２２の周囲にて互いに接合される。中間部２０２では、トップシート２１とバックシート２３とが吸収コア２２の側方にて接合された後、余剰部位が吸収コア２２のエッジに沿ってエッジから一定の距離にて切除されて前方部２０１および後方部２０３よりも幅が小さくされる。後方部２０３（および前方部２０１）では、図２に示すように、バックシート２３が吸収コア２２の幅方向の両側のエッジを包み込むように着用者側に折り返され、吸収コア２２の着用者側にてトップシート２１の着用者側とは反対側の主面と接合される。図１に示すように、本体部２の長手方向の両端部では、幅方向の中央における吸収コア２２のエッジとトップシート２１およびバックシート２３のエッジとの間の距離Ｗ１が、５ｃｍ以下（より好ましくは、３ｃｍ以下）とされる。
【００３０】
トップシート２１、吸収コア２２およびバックシート２３の接合、本体部２と側壁部３との接合、弾性部材３１の側壁部３への接合等、吸収性物品１を構成する各部材同士の接合は、ホットメルト接着剤による接着、超音波接合やヒートシール等、様々な接合方法により適宜行われる。各部材同士の接合に利用されるホットメルト接着剤としては、エチレン・酢酸ビニル系、ポリオレフィン系等のエラストマー類やゴム類等のホットメルト接着剤が用いられる。トップシート２１やバックシート２３等へのホットメルト接着剤の塗布は、各シートの主面に接触して配置されたコーターからホットメルト接着剤を吐出して直接的に塗布するコーター塗工、または、各シートの上方に離間して配置された塗工ヘッドからホットメルト接着剤を吐出して間接的に塗布するスパイラルスプレー法やメルトブロー法、ビード法等の様々な方法により行われる。
【００３１】
以上に説明したように、吸収性物品１では、吸収コア２２の各コア側端部２２１が、仮想角部２２２が除去された形状とされることにより、吸収性物品１が使い捨ておむつに取り付けられて着用される際に、吸収コア２２の各コア側端部２２１が着用者の身体に引っかかって折り曲げられたり、着用者の肌との間の摩擦により捲れることが抑制される。その結果、折り曲げられたり捲れたコア側端部２２１に引っ張られて吸収性物品１の長手方向の端部が折れ曲がることを抑制することができ、吸収性物品１の着用感を向上することができる。また、端部の折れ曲がりに起因する吸収性物品１の丸まりやずれを抑制し、尿等が丸まりやずれによる隙間から使い捨ておむつへと漏出することを防止することができる。吸収性物品１において、長手方向の端部の折れ曲がりをより確実に抑制するという観点からは、仮想的な矩形２２１ａに対して除去されている各仮想角部２２２のＸ方向およびＹ方向の長さＣｘ，Ｃｙが、共に２ｃｍ以上とされることが好ましい。
【００３２】
吸収性物品１では、長手方向の端部における吸収コア２２のエッジとトップシート２１およびバックシート２３のエッジとの間の距離Ｗ１が、５ｃｍ以下（より好ましくは、３ｃｍ以下）とされることにより、吸収性物品１が取り付けられた使い捨ておむつの着用時等にトップシート２１およびバックシート２３の長手方向における端部が着用者側に折り曲げられることが抑制される。その結果、撥水性または不透液性のバックシート２３が着用者の肌に接触して吸収性物品１ａの着用感が低下することが防止される。
【００３３】
吸収性物品１では、吸収コア２２のＹ方向の長さが４０ｃｍ以上７０ｃｍ以下であり、中間部２０２におけるＸ方向の最小幅が９ｃｍ以上３０ｃｍ以下とされる。吸収性物品１では、コア側端部２２１の捲れを抑制して長手方向の端部が折れ曲がることを抑制することができるため、一般的な生理用ナプキン等に比べて大型であり端部が比較的折れ曲がりやすい吸収性物品、例えば、使い捨ておむつに取り付けられる尿取りパッド等の大型の補助吸収具に特に適しているといえる。
【００３４】
図３は、本発明の第２の実施の形態に係る吸収性物品１ａの構成を示す平面図であり、図４は、吸収性物品１ａを図３中に示すＢ−Ｂの位置でＹ方向に垂直な面で切断した断面図である。吸収性物品１ａは、図１に示す吸収性物品１とは外形は異なるがほぼ同様の構造を有し、各構成には以下の説明において同符号を付す。吸収性物品１ａも、第１の実施の形態に係る吸収性物品１と同様に、使い捨ておむつ等の着用者側に取り付けられて着用者からの排泄物を受ける補助吸収具である。
【００３５】
図３に示すように、吸収性物品１ａは、第１の実施の形態と同様に、略シート状の本体部２、および、本体部２の両側に設けられるとともにそれぞれに２本の弾性部材３１が接合される一対の側壁部３を備え、本体部２は、着用者の腹側および背側に対向する前方部２０１および後方部２０３、並びに、前方部２０１および後方部２０３の間の中間部２０２を備える。そして、弾性部材３１が収縮することにより、本体部２の側方において側壁部３が着用者側に向かって立ち上がり、着用時に着用者の足の付け根近傍に当接する立体ギャザー（いわゆる、レッグギャザー）が形成される。
【００３６】
図３および図４に示すように、本体部２は、第１の実施の形態と同様に、吸収体である吸収コア２２、吸収コア２２の着用者側（すなわち、（＋Ｚ）側）の主面を覆うトップシート２１、および、吸収コア２２のもう一方の主面を覆うバックシート２３を備える。バックシート２３は、吸収コア２２の長手方向の両側の端部近傍において、着用者側とは反対側の主面上に、幅方向に広がって存在するとともに吸収性物品１ａが使い捨ておむつ等の外装物品に取り付けられる際に使い捨ておむつの着用者側と対向する止着部２３１を備える。
【００３７】
トップシート２１、吸収コア２２、バックシート２３および止着部２３１、並びに、側壁部３および弾性部材３１の材料および接合方法（ホットメルト接着剤の塗布方法等を含む。）は第１の実施の形態と同様である。
【００３８】
吸収性物品１ａの吸収コア２２では、図３にその輪郭を太い破線にて示すように、中間部２０２における吸収コア２２のＸ方向の幅が、前方部２０１および後方部２０３における幅よりも小さくされ、吸収コア２２はいわゆる砂時計型とされる。吸収コア２２の中間部２０２におけるＸ方向の最小幅は、９ｃｍ以上３０ｃｍ以下とされ、本実施の形態では１０ｃｍとされる。また、吸収コア２２のＹ方向の長さは、４０ｃｍ以上７０ｃｍ以下とされ、本実施の形態では４０ｃｍとされる。
【００３９】
吸収性物品１ａでは、吸収コア２２の長手方向の両端部のエッジが円弧状とされており、これにより、吸収コア２２は長手方向に関して外側に凸となっている。吸収コア２２の長手方向の両側の端部における幅方向の両側の部位であるコア側端部２２１は、吸収コア２２の長手方向の端部を囲む仮想的な矩形２２１ａに対して、仮想角部２２２（図３中に平行斜線を付して示す。）が除去された形状とされる。前方部２０１および後方部２０３の各仮想角部２２２のＸ方向およびＹ方向の長さＣｘ，Ｃｙは、前方部２０１および後方部２０３における吸収コア２２の最大幅の半分とされる。
【００４０】
止着部２３１は、吸収コア２２の長手方向の端部のエッジにほぼ沿うように形成されており、止着部２３１の幅方向の中央部は、幅方向の両側の部位よりも長手方向に関して外側に存在する。換言すれば、２つの止着部２３１はそれぞれ、本体部２の中間部２０２から離れる方向に凸となっている。
【００４１】
吸収性物品１ａが形成される際には、まず、略矩形のトップシート２１とバックシート２３とが、吸収コア２２を間に挟んでホットメルト接着剤により吸収コア２２の周囲にて接合され、続いて、トップシート２１上にＺ字状に折り畳まれた略矩形の帯状の側壁部３が接合される。次に、吸収コア２２の周囲において、吸収コア２２のエッジに沿ってエッジから一定の距離にてトップシート２１、バックシート２３および側壁部３が切断され、その後、止着部２３１がバックシート２３に設けられる。止着部２３１は、バックシート２３がトップシート２１と接合される前に予め設けられていてもよい。
【００４２】
吸収コア２２の長手方向の両端部がトップシート２１およびバックシート２３の長手方向の端部により覆われた状態で、トップシート２１およびバックシート２３が吸収コア２２のエッジから一定の距離にて切断されることにより、吸収性物品１ａでは、トップシート２１およびバックシート２３の長手方向の両側の端部における幅方向の両側の部位（以下、「シート側端部」という。）２１１も、吸収コア２２のコア側端部２２１と同様に、端部を囲む仮想的な矩形から仮想的な角部が除去された形状とされる。また、吸収コア２２のエッジとトップシート２１およびバックシート２３のエッジとの間の距離Ｗ１は、吸収コア２２の全周においてほぼ一定であり、好ましくは５ｃｍ以下（より好ましくは、３ｃｍ以下）とされる。
【００４３】
以上に説明したように、吸収性物品１ａでは、第１の実施の形態と同様に、吸収コア２２の各コア側端部２２１が、仮想角部２２２が除去された形状とされることにより、使い捨ておむつに取り付けられて着用される際に、吸収コア２２の各コア側端部２２１が折れ曲がることが抑制される。その結果、吸収性物品１の長手方向の端部が折れ曲がることを抑制することができ、吸収性物品１の着用感を向上することができる。また、端部の折れ曲がりに起因する吸収性物品１の丸まりやずれを抑制し、尿等が使い捨ておむつへと漏出することを防止することができる。
【００４４】
吸収性物品１ａでは、特に、トップシート２１およびバックシート２３のシート側端部２１１も、仮想的な角部が除去された形状とされることにより、トップシート２１およびバックシート２３の長手方向の端部が折れ曲がることを抑制することができ、さらに、長手方向の端部における吸収コア２２のエッジとトップシート２１およびバックシート２３のエッジとの間の距離がほぼ一定とされることにより、トップシート２１およびバックシート２３の長手方向の端部の折れ曲がりをより確実に抑制することができる。その結果、折り曲げられたトップシート２１およびバックシート２３に引っ張られて吸収コア２２（すなわち、吸収性物品１ａ）の長手方向の端部が折れ曲がることが抑制される。また、撥水性または不透液性のバックシート２３が着用者の肌に接触して吸収性物品１ａの着用感が低下することが防止される。
【００４５】
また、吸収性物品１ａでは、吸収コア２２の長手方向の両端部近傍において幅方向に広がって存在する止着部２３１がバックシート２３に設けられ、吸収性物品１ａを使い捨ておむつに取り付ける際には、止着部２３１が使い捨ておむつの着用者側に接合される。吸収性物品１ａでは、止着部２３１の幅方向の中央部が幅方向の両側の部位よりも長手方向に関して外側に存在することにより、吸収性物品１ａの長手方向の端部を使い捨ておむつに強固に取り付けることができるため、使い捨ておむつに取り付けられた吸収性物品１ａの長手方向の端部における折れ曲がりをさらに確実に抑制することができる。その結果、折り曲げられた端部に引っ張られて止着部２３１が使い捨ておむつから剥離することが防止される。
【００４６】
吸収性物品１ａは、第１の実施の形態と同様に、大型であり端部が比較的折れ曲がりやすい吸収性物品の長手方向の端部の折れ曲がりを抑制することができ、例えば、使い捨ておむつに取り付けられる尿取りパッド等の大型の補助吸収具に特に適しているといえる。
【００４７】
以上、本発明の実施の形態について説明してきたが、本発明は上記実施の形態に限定されるものではなく、様々な変更が可能である。
【００４８】
例えば、第２の実施の形態に係る吸収性物品１ａでは、吸収コア２２の全周において吸収コア２２のエッジとトップシート２１およびバックシート２３のエッジとの間の距離がほぼ一定とされるが、トップシート２１およびバックシート２３の長手方向の折れ曲がりをより確実に抑制するという観点からは、吸収性物品１ａの長手方向の端部において両エッジ間の距離がほぼ一定とされているのみでもよい。
【００４９】
上記実施の形態に係る吸収性物品では、長手方向の端部の折れ曲がりをより確実に抑制するという観点からは、長手方向の両側の端部において、吸収コア２２のコア側端部２２１が角部が除去された形状（矩形以外の形状から角部を除去した形状であってもよい。）とされることが好ましいが、例えば、使い捨ておむつを着用する際に吸収性物品の端部が折れ曲がったとしても着用者にとって視認が難しい後方部２０３側の端部においてのみ、吸収コア２２のコア側端部２２１が角部が除去された形状とされてもよい。第２の実施の形態に係る吸収性物品１ａのトップシート２１およびバックシート２３についても同様に、長手方向の一方の端部においてのみ、シート側端部２１１が角部が除去された形状（矩形以外の形状から角部を除去した形状であってもよい。）とされてもよい。
【００５０】
上記実施の形態に係る吸収性物品の止着部２３１は、幅方向に伸びる１つの面ファスナには限定されず、複数の比較的小さな面ファスナの集合とされてもよい。例えば、５つの略矩形の面ファスナが幅方向に並べられて止着部２３１とされてもよく、この場合、第２の実施の形態に係る吸収性物品１ａでは、中央の１つまたは３つの面ファスナ（すなわち、止着部２３１の幅方向の中央部の少なくとも一部）が、幅方向の両端の面ファスナよりも長手方向に関して外側（すなわち、中間部２０２から離れる側）に存在する。
【００５１】
止着部２３１は、また、ホットメルト接着剤等の粘着剤であってもよく、この場合、使い捨ておむつ等に取り付けられる前の吸収性物品では、止着部２３１を覆うように剥離テープが設けられる。
【００５２】
吸収性物品は、パンツタイプの使い捨ておむつや着用者の腹側に当接する部位と背側に当接する部位とを腰回りで止着して着用するオープンタイプの使い捨ておむつ、布製の失禁パンツ、その他様々な外装物品に取り付けられて使用されてよい。
【図面の簡単な説明】
【００５３】
【図１】第１の実施の形態に係る吸収性物品の平面図である。
【図２】吸収性物品の断面図である。
【図３】第２の実施の形態に係る吸収性物品の平面図である。
【図４】吸収性物品の断面図である。
【符号の説明】
【００５４】
１，１ａ    吸収性物品
２１    トップシート
２２    吸収コア
２３    バックシート
２０２    中間部
２１１    シート側端部
２２１    コア側端部
２２１ａ    矩形
２２２    仮想角部
２３１    止着部
【図１】
2006198122.tif 000003
【図２】
2006198122.tif 000004
【図３】
2006198122.tif 000005
【図４】
2006198122.tif 000006